(57)【特許請求の範囲】
【請求項１】
基礎床面上に固定される接地板から雄ネジ体を立設した支持脚と、上面周辺に平坦部を形成して雄ネジ体に螺合する雌ネジ部を有する支持板と、上面にフロアパネルのコーナー部に嵌合して位置規制する起立部と底面を載せる載置部とを形成して支持板に被せられる敷板と、雄ネジ体に螺合してフロアパネルのコーナー部を敷板上に挟圧するパネル押えと、から構成されるフロアパネルの支持装置において、支持板と敷板の向合部位に、相互に係合する係合構造を設ける他、この係合構造をフロアパネルで位置規制される敷板に対する支持板の強制回動によって相互の係合が解かれるものにしたことを特徴とするフロアパネルの支持装置。
【請求項２】
係合構造が、敷板には内方に突起する突起体が敷板の周端から下方に屈曲させて設けた垂下部に形成されたものであり、支持板には突起体を受け入れる外周から切れ込む切欠が形成されたものである請求項１に記載のフロアパネルの支持装置。
【請求項３】
切欠に切込傾斜面を形成し、切込傾斜面が支持板が上昇する方向へはその回動を積極的に許容する緩なものである請求項２に記載のフロアパネルの支持装置。
【請求項４】
突起体が等間隔で複数個設けられるとともに、切欠が突起体の設置間隔以下の間隔で複数個設けられ、各々の突起体はいずれかの切欠に入り込むように位相を合わせてある請求項１〜３いずれかに記載のフロアパネルの支持装置。
【請求項５】
敷板とパネル押えとの間に、雄ネジ体に対するパネル押えの緩みを防ぐ緩み防止構造を設けた請求項１〜４いずれかに記載のフロアパネルの支持装置。
【請求項６】
緩み防止構造が、敷板に形成されたパネル押えを挿入する貫通孔の内周に突起が形成され、パネル押えの外周に突起が入り込む溝が形成されたものであり、かつ、突起の両隣に凹陥部が形成されたものである請求項５に記載のフロアパネルの支持装置。
【発明の詳細な説明】
【０００１】
【発明の属する技術分野】
本発明は、基礎床面とフロアパネルとの間に通信ケーブルや電力線を収容するスペースを確保するフリーアクセスフロア用のフロアパネルの支持装置に関するものである。
【０００２】
【従来の技術】
フリーアクセスフロアにおけるフロアパネルは、支持脚によって基礎床面上に支持されるが、通常、基礎床面には不陸が発生していることから、支持脚を上下調節可能な構造にしてフロアパネルのレベルが出せるようにしている。又、ケーブル等の容量に応じてフロアパネルの高さを変える必要もあるが、これにも、支持脚を上下して対応している。この上下調節機構として、通常は、支持脚にネジを形成し、フロアパネルを支える支持板をこのネジに螺合してその高さを調節する構造をとっている。
【０００３】
一方で、支持板にはフロアパネルの位置ずれ等を防止する特定の規制構造が施されていることから、支持板の向きはフロアパネルの向きに対して一定の相関関係になければならない。そこで、支持板の上にフロアパネルを支える敷板を支持板に対して相対回転可能に載せ、何枚かのフロアパネルを載置して敷板の向きを一定にしたままでも、支持板を回転させて上下できるようにしている。
【０００４】
ところで、支持板（敷板）を所定の高さに合わせた後は、支持板の螺合部にガタがない状態で固定され（通常、支持板の螺合部には嵌め合いによるガタ（隙間）がある）、フロアパネルに繰り返し荷重等がかかっても、敷板が低下しないことが望まれる。さもないと、敷板とフロアパネルとの間に隙間が生じ、ガタ付きや歩行時の音鳴りが発生したり、床面に凹凸が発生したりする。このためには、支持板が支持脚に対して緩まない（下降方向に回動すること）工夫が必要であるが、従来は、この緩み防止構造として、支持板の螺合部の下方に別のナットを螺合して支持板に強く押し付ける、所謂ダブルナット構造を採用していた。
【０００５】
【発明が解決しようとする課題】
しかし、このナットは、その締緩操作がやり難く、施工のコストが高くついていた。又、ダブルナットが緩むと、まったく効果がなくなってしまっていた。そこで、もっと効率的で信頼性の高い方法が望まれていたのであるが、特許第２７２７８５５号では、パネル押えをフロアパネルのコーナー部の上方から支持板に対して締め込む構造とし、更に、敷板と支持板との間に一定角度以上の相対的回動を規制する制限手段を設けて対処している。
【０００６】
パネル押えと支持板との締め付けが緩まない限り、支持板が低下することはないが、前記した先行例のものも、回動が許容される範囲での緩みは避けられない。従って、僅かではあるが、支持板が下がり、これに基づくガタ付きや床面の凹凸等が生ずる虞がある。又、フロアパネルを敷設するにあたり、予め支持板を所定高さに調整しておくが、その際、支持板の螺合部のガタ、基礎床面の不陸による支持脚の傾き、構成部材の製造誤差等が原因で、フロアパネルを設置してパネル押えを締め込むまでは、床面が平坦に仕上がっているかどうか分からない。このため、床面に凹凸があれば、再度高さを調整する必要があるが、フロアパネルを敷板上に載せたままの状態では回動許容範囲を超えて支持板を上下させることができないから、支持板上に載っている４枚のフロアパネルを全て除去した状態で作業しなければならず、調整に非常に手間がかかるという問題が生ずる。
【０００７】
本発明は、支持板と敷板との間に、支持板の敷板に対する強制回動によって相互の係合が解かれる係合構造を設けることで、この問題を解決したものである。
【０００８】
以上の課題の下、本発明は、基礎床面上に固定される接地板から雄ネジ体を立設した支持脚と、上面周辺に平坦部を形成して雄ネジ体に螺合する雌ネジ部を有する支持板と、上面にフロアパネルのコーナー部に嵌合して位置規制する起立部と底面を載せる載置部とを形成して支持板に被せられる敷板と、雄ネジ体に螺合してフロアパネルのコーナー部を敷板上に挟圧するパネル押えと、から構成されるフロアパネルの支持装置において、支持板と敷板の向合部位に、相互に係合する係合構造を設ける他、この係合構造をフロアパネルで位置規制される敷板に対する支持板の強制回動によって相互の係合が解かれるものにしたことを特徴とするフロアパネルの支持装置を提供したものである。
【０００９】
以上の手段により、支持板と敷板とは係合構造で係合しているとともに、この係合構造は、敷板に対する工具等による支持板の強制回動によって相互の係合が解かれ、通常のフロアパネルの使用状態における回動は規制するものであるから、フロアパネルに対する繰り返し荷重や振動によって支持板は緩んで下がることはなく、パネルのガタ付きも床面の凹凸も生じない。一方で、高さ調節等に際し、敷板を一定の向きにしたままで、支持板を工具等で強制的に回して上下調整させるには、何枚かのパネルは載ったままでも、１枚のフロアパネルを外せば何ら支障なくできる。
【００１０】
【発明の実施の形態】
以下、本発明の実施の形態を図面を参照して説明する。図１は本発明の一例を示すフロアパネルの支持装置の斜視図、図２は平面図、図３は図２のＡＯＡ断面図であるが、このフロアパネルの支持装置は、基礎床面１上に置かれる支持脚２と、支持脚２に上下調節可能に支えられる支持板３と、支持板３に被せられてフロアパネル（以下、パネルという）４を載せる敷板５と、支持脚２に係合してパネル４を押さえつけるパネル押え６とからなる。
【００１１】
このうちの支持脚２は、基礎床面１に固定される接地板７の中央からパネル４を支持するのに十分な太さ（Ｍ１２）を有する雄ネジ体８を立設したものであり、それには、接地板７の中央に孔９をあけ、この孔９に雄ネジ体８の頭部８ａをかしめる構造をとっている。但し、かしめ以外の固定法、例えば、溶接やビス止めであってもよい。接地板７は、金属製の薄板（厚さ１ｍｍ位）で構成されていることから、孔９を中心に放射状に延びる何本かの補強ビード１０を形成し、必要な強度を確保している。
【００１２】
接地板７は、パネル４の集合コーナー部に設置されるものであるから、基礎床面１上での設置位置は決まっている。このため、角を面取りし、その中央に切込１１を設けておき、この切込１１を基礎床面１上に引く墨出し基準線に合わせるようにしている。更に、接地板７は、接着剤によって基礎床面１上に固定されるが、この場合、多数の貫通孔１２を形成しておき、接着剤がこの貫通孔１２を通って表裏に連続するようにして固定の強化を図っている。尚、接地板７の固定は、コンクリート釘等による締結であってもよい。
【００１３】
図５は支持板３の平面図、図７は一部断面側面図であるが、支持板３は、上面周辺が平坦部１３、中央が凹陥部１４に形成された円板形のカップ体１５と、前記した雄ネジ体８に螺合できる雌ネジ部１６とからなる。この場合の雌ネジ部１６は、カップ体１５の中央に孔１７を形成し、この孔１７にナットをかしめることで構成している（この他に溶接等による一体化構造も考えられる）。支持板３も、金属板の成形品であり、この上に四枚のパネル４を載せても変形等しない程度の厚み（２〜３ｍｍ）や大きさに設定されている。
【００１４】
図８は敷板５の平面図、図９は図８のＢＯＢ断面図であるが、敷板５は、下方に存する支持板３や上方に載せられるパネル４との金属接触を避けるためにＰＰ等の樹脂の成形品で構成されている。その形状は、中央に貫通孔１８が形成された本体部１９から張出部２０が周辺に円板形に張り出し、張出部２０の周端から垂下部２１が下方に屈曲しているものである。
【００１５】
この場合、敷板５を支持板３の上に装着した場合、本体部１９は支持板７の凹陥部１４の底に当たり、張出部２０は支持板３の平坦部１３に接触する状態で被さる他、垂下部２１が平坦部１３の外方を所定隙間を保って覆う状態となる。図１０は垂下部２１の一部断面図であるが、垂下部２１の下端には、被せるときには支持板３の外端を通過して係止し、上方への抜出が防がれる複数の（本例では１８０°間隔で二個）爪体２２が設けられている。
【００１６】
張出部２０の上面には、この上にパネル４を置いた場合、そのコーナー部の直角な側辺が当たって位置規制する四個の起立部２３が形成されており、その外方端部両側を張り出させてパネル４の側辺に当てるようにしている。起立部２３の構造は、例えば、パネル４の底面に設けた嵌合孔に挿入可能なピン状のもの等、パネル４の水平方向の位置を規制するものであればよい。また、本体部１９外面の各起立部２３同士の中間位置に、パネル４のコーナー部先端の側辺に当てて位置規制する凸条１９ｂが形成されている。このように、パネル４のコーナー部において３点を当てるようにしてやれば、パネル４と敷板５の位置（角度）を正確に規制することができる。起立部２３を除く部位には、パネル４の底面を載せる平坦な載置部２４が形成されている。更に、本体部１９の貫通孔１８の径は、ここに挿入されて来るパネル押え６の外径と一致させてある。
【００１７】
図１１はパネル押え６の平面図、図１２は一部断面側面図、図１３は底面図であるが、パネル押え６も、ＰＣ等の樹脂の成形品であり、中央に前記した雄ネジ体８に螺合できる雌ネジ部２５が形成された筒状の本体部２６の上部にパネル４のコーナー部に形成された低段部に沈み込むことができる鍔部２７が形成されたものである。又、本体部２６の上部中央には、これを回す工具が係合できる係合部２８も形成されている。この係合部２８は、中央に六角レンチを挿入できる六角孔２９が、外周にボックスレンチが挿入できる鋸歯部３０がそれぞれ形成された二重式のものである。
【００１８】
ここで用いられるパネル４は、図３にみられるように金属製薄板のフラットな上面板３１に対して断面ハット形をした下面板３２を端部でかしめて一体化したものであり、下面板３２の起立壁３３は、上面板３１の端から所定長さ控えたものである。従って、敷板５の起立部２３に当たる側辺は、この下面板３２の起立壁３３ということになる。更に、上面板３１のコーナー部には、低段部３４が形成されているとともに、その端は、四分の一円形状に切り欠かれた切欠３５を形成している。
【００１９】
この場合の切欠３５の大きさは、パネル押え６の本体部２６の挿入を許容するものにしてあり、その本体部２６は、この切欠３５が集合した円形孔に入り込んで鍔部２７が低段部３４を押え付けるものとなるようにしてある（この場合の鍔部２７の厚みと低段部３４の深さは、ほぼ同じにして鍔部２７が低段部３４から飛び出ないようにしてある）。尚、このときの低段部３４の底面は、パネル押え６の締め込みによって敷板５の本体部１９の頂面に形成された凹陥穴１９ａに押し当てられており、パネル押え６のそれ以上の締め込みが規制される。結局、低段部３４は弾性変形した状態でパネル押え６と敷板５とで上下から挟圧されて固定されるものとなり、パネル押え６の緩み止め効果を発揮する。又、凹陥穴１９ａに低段部３４を嵌め込むことで、更なるパネル４の水平方向の位置規制を行うようにしている。
【００２０】
以上の各機器を用いてパネル４を敷設するのであるが、ここでその手順の概略を説明しておく。先ず、基礎床面１上に引いた墨出し基準線を基に、支持板３を規定高さよりも低く取り付けた支持脚２のそれぞれを所定の位置に固定する作業を行なう。次に、敷板５が所定の向きになるよう支持板３を回して規定の高さまで上げる。ここで、支持板３の上昇高さは、基礎床面１の不陸等を考慮したものであり、支持板３のレベルはおおよそ揃えられる。
【００２１】
次いで、敷板５の上にパネル４を敷いて行くのであるが、この際、パネル４のコーナー部の側辺３２を二つの起立部２３の間に挿入して底面３２を載置部２４の上に載せて位置を合わせ、最後に、パネル押え６を支持板３の貫通孔１８に挿入してその雌ネジ部２５を支持脚２の雄ネジ体８に螺合し、鍔部２７と敷板６とでパネル４の低段部３４を強く挟圧する。このときパネル４は敷板に添うよう若干変形するので、支持板３の高さや傾き、パネル４の厚み等に多少のバラツキがあっても吸収することができる。
【００２２】
ところで、パネル４の敷設後、パネル４に繰り返し荷重等がかかって支持板３が下方に移動する方向に回動したとすると、床面に凹凸が生じたり、パネル４と敷板５又は鍔部２７との間に隙間が生じ、ガタ付きや音鳴りが発生し、又、パネル４の敷設時に支持板３の高さを再調整する際に、支持板３上のパネル４枚全てを除去する必要があることは前述したとおりである。このため、これを防ぐ手段が求められるのであるが、本発明は、これを以下のように構成したものである。
【００２３】
その構成は、支持板３と敷板５との適当な向合部位に、相互に係合する係合構造３６を設けるのである。そして、敷設に際しては、支持板３をこれに被せられる敷板５の起立部２３の側面方向がパネル４の側辺方向と平行になる正規の向きになるよう回転させ、この状態にしてパネル押え６で締め付けるのである。
【００２４】
ところで、この正規状態にすると、支持板３の向きも拘束されるから、その高さは、厳密には設定高さと違ってくることがあるが、雄ネジ体８と雌ネジ部１６の螺合部にはガタ（隙間）があり、基礎床面１の不陸によって支持脚２には傾きも生じているから、厳密に設定高さに合わせることは現実に不可能であるし、更に、パネル押え６を締め込むことで、パネルが若干変形して多少のバラツキは吸収される。又、雄ネジ体８のピッチは小さいものである（支持体３を９０°回しても０．２ｍｍ程度しか高さは変化しない）から、その誤差は完全に吸収できるものである。
【００２５】
この場合の係合構造３６は、工具等による敷板５に対する支持板３の強制回動は許容し、通常のパネル４の使用状態における回動は規制するものである。図４は係合構造３６の一例を示す敷板５と支持板３の平面図であるが、敷板５の垂下部２１等に内方に突起する突起体３７を形成したものであり、支持板３にこの突起体３７を受け入れる外周から切れ込む切欠３８を形成したものである。この場合において、切欠３８の切込傾斜面３８ａを支持板３の回動を規制する急なものとしている。その一方で、切欠３８と外周との接続部をアール形状とし、又、突起体３７の断面形状を半円形状とし、更には、突起体３７の上方の載置部２４に窓３９を設けたり、垂下部２１を樹脂によって構成する等して、支持板３を工具等によって回転させた際には、突起体３７を切欠３８から遠ざける方向に変位させて係合を解くことができるようにしている。
【００２６】
これにより、突起体３７が切欠３８に入り込むと、通常のパネル４の使用状態において繰り返し荷重や振動が作用しても、支持板３の回動は規制されるから、支持板３が低下してパネル抑え６に対して緩まない。一方で、敷板５の高さを調節するときには、敷板５上に何枚かのパネル４を載せた状態等、敷板５の向きを一定にして支持板３を上昇又は下降させようとするときも、敷板５はそのままで支持板３のみを回すこともできるから支障を来さない。尚、支持板３を回しての敷板５の高さ調整は、突起体３７と切欠３８が合致した位置にするのが標準であるが、係合構造３６は節動感をもって係合するので、係合位置がわからないといった心配はない。但し、突起体３７上方の載置部２４に形成した窓３９によって目視で確認することもできる。
【００２７】
この場合、信頼性を高めるために、係合構造３６は複数個所に設けるのがよい。具体的には、突起体３７、切欠３８共に複数個設け、しかも、一つの突起体３７が特定の切欠３８に嵌まり込んだ場合、他の突起体３７も他の切欠３８に嵌まり込むように位相を合わせておくのが好ましい。本例では、切欠３８は６０°間隔で６個、突起体３７は１８０°間隔で２個設けているが、勿論、これにこだわらない。
【００２８】
図６は切欠３８の他の例を示す要部（図５のＢ部）平面図であるが、この場合においては、切欠３８の切込傾斜面３８ａが支持板３が上昇する方向へはその強制回動を積極的に許容する緩なものであり、下降する方向へは前記実施例と同様に急なものにしてある。これにより、通常のパネル４使用状態における支持板３の下降方向の回動は前記実施例と同様に規制される。一方で、敷板５の高さを調節しようとするときには、敷板５上に何枚かのパネル４を載せた状態等、敷板５の向きを一定にして支持板３を上昇させようとするときは、前記実施例に比べて軽い操作力で支持板３のみを回すことができる。勿論、支持板３を強制的に工具等によって回動下降させようとするときには、前記実施例と同様に行うことができる。更に、図示は省略するが、以上の係合構造３６は、支持板３と敷板５の重合面に形成してもよい。
【００２９】
更に、パネル押え６が支持板３に対して単独で緩むことも考えられ、そうなると、同様に支持板３にガタが発生する。そこで、本発明では、パネル押え６と敷板５との間に緩み防止構造４２を施している。本例の緩み防止構造４２は、敷板５の貫通孔１８の内周に何個かの突起４３を形成し（図８、図９）、パネル押え６の本体部２６の外周にこの突起４３が入り込むことができる溝４４を形成したものである（図１２、図１３）。
【００３０】
この場合、突起４３の両隣には凹陥部４５を形成し、本体部２６の外周が通過するときには変形できるようにして雄ネジ体８への締緩操作のときの抵抗を少なくしている。尚、パネル押え６のネジ込み終了位置は、この突起４３と溝４４とが合致した位置が好ましいが、途中であってもかまわない。この場合、パネル押え６が緩むと、いずれかの突起４３と溝４４が合致し、それ以上の緩みに歯止めがかかる。この意味から、突起４３と溝４４は、位相を合わせてそれぞれ複数個設けるのがよい。
【００３１】
【発明の効果】
以上、本発明によれば、支持板と敷板とは係合構造で係合しているとともに、この係合構造は、工具等による敷板に対する支持板の強制回動は許容し、通常のパネルの使用状態における回動は規制するものであるから、パネルに繰り返し荷重等がかかっても、支持板は緩んで下がることはなく、敷板とパネルとの間に隙間ができてガタ付きや音鳴りが発生したり、床面に凹凸が生じたりする事態が避けられる。一方で、高さ調節等に際し、パネルを載置して敷板を一定の向きにしたままで、工具等によって支持板を強制的に回して上昇又は下降させる操作も、１枚のパネルを外しさえすれば何ら支障なくできる。
【００３２】
この場合において、係合構造を複数設けると、信頼性が増す。更に、パネル押えの緩みを防止する緩み防止手段を設けると、パネル押えの緩みに基づくパネルのガタ付きや音鳴りも発生しない。
【図面の簡単な説明】
【図１】本発明の一例を示すフロアパネルの支持装置の斜視図である。
【図２】本発明の一例を示すフロアパネルの支持装置の平面図である。
【図３】本発明の一例を示すフロアパネルの支持装置の一部断面側面図である。
【図４】本発明の一例を示す係合構造の要部平面図である。
【図５】本発明の一例を示す支持板の平面図である。
【図６】本発明の他の一例を示す支持板に形成された切欠の平面図である。
【図７】本発明の一例を示す支持板の一部断面側面図である。
【図８】本発明の一例を示す敷板の平面図である。
【図９】本発明の一例を示す敷板の断面側面図である。
【図１０】本発明の一例を示す爪体の要部断面側面図である。
【図１１】本発明の一例を示すパネル押えの平面図である。
【図１２】本発明の一例を示すパネル押えの一部断面側面図である。
【図１３】本発明の一例を示すパネル押えの底面図である。
【符号の説明】
１    基礎床面
２    支持脚
３    支持板
４    フロアパネル
５    敷板
６    パネル押え
７    接地板
８    雄ネジ体
１３  平坦部
１６  雌ネジ部
２３  起立部
２４  載置部
３６  係合構造
３７  突起体
３８  切欠
３８ａ切込傾斜面
４２  緩み防止構造
【図１】
0004129850.tif 000002
【図２】
0004129850.tif 000003
【図３】
0004129850.tif 000004
【図４】
0004129850.tif 000005
【図５】
0004129850.tif 000006
【図６】
0004129850.tif 000007
【図７】
0004129850.tif 000008
【図８】
0004129850.tif 000009
【図９】
0004129850.tif 000010
【図１０】
0004129850.tif 000011
【図１１】
0004129850.tif 000012
【図１２】
0004129850.tif 000013
【図１３】
0004129850.tif 000014